(57)【要約】  【課題】回収箱に装着されたビニール袋に古新聞等を収納できると共に、該ビニール袋に収納された古新聞等を回収箱から容易に取り出せる古新聞等の回収箱を提供する。  【解決手段】図は、回収箱１の内部にビニール袋１２を装着した後に折り畳んだ古新聞１１を収納する過程を示す工程図である。すなわち、図（ｃ）に示すような回収箱１の内部に、図（ｂ）に示すような紐状ビニール片１３，１３及び手提げ部分１４，１４のあるビニール袋１２を挿入し、手提げ部分１４，１４を回収箱１の短辺側枠体３，３に形成された係止溝４，４に挟んで係止する。これにより、ビニール袋１２の開口部は開いた状態で保持される。次に図（ａ）のように４つ折に畳んだ古新聞１１をビニール袋１２の内部へ収納して一定量の古新聞１１が溜まったら、手提げ部分１４，１４を係止溝４，４から外し、回収箱１を持ち上げて古新聞１１の収納されたビニール袋１２を取り出す。【選択図】図４
2012025442.tif 000002
【特許請求の範囲】
【請求項１】
ビニール袋などを内部に装着し、古新聞等を積み重ねて前記ビニール袋に収納することができる古新聞等の回収箱であって、
前記回収箱は、四面に設けられた折線を介して扁平状に折り畳むことができるように形成された平面視矩形状で上下開放の筒体からなり、且つ、平面視矩形状の該回収箱の上端開口部の短辺側両端部に、前記ビニール袋の手提げ部分を挟んで係止することができる係止溝が対向して形成されていることを特徴とする古新聞等の回収箱。
【請求項２】
上記短辺側両端部に形成された上記係止溝の内側には、該係止溝に近接して上記ビニール袋の手提げ部分を挟んで係止することができる予備溝が対向して形成されていることを特徴とする請求項１記載の古新聞等の回収箱。
【請求項３】
上記回収箱における上端開口部の長辺側中央部に、上記ビニール袋の中央部に設けられた紐状ビニール片を挟んで係止することができる中央部係止溝が対向して形成されていることを特徴とする請求項１又は２記載の古新聞等の回収箱。
【発明の詳細な説明】
【技術分野】
【０００１】
本発明は古新聞等の回収箱に関するものであり、特に、読み終えた古新聞や折込広告などを整理収納しておき、古新聞等が一定量に達すると容易に取り出して回収することができる古新聞等の回収箱に関するものである。
【背景技術】
【０００２】
従来より、読み終えた古新聞等を新聞専用のビニール袋や紙袋などに収納しておき、一定量溜まった古新聞は廃品回収日にビニール袋や紙袋に収納された状態で廃棄している。このとき、所定の厚みごとの古新聞等を４つ折に畳んで所定のビニール袋などに収納して保管している。ところが、古新聞等を所定のビニール袋などに収納する場合、その都度、両手でビニール袋などの口を開きながら４つ折に畳んだ古新聞をビニール袋に収納しなければならないので、古新聞等をビニール袋に収納するときの作業がやや面倒である。また、ビニール袋などに古新聞等を収納した後に荷崩れが生じやすい。
【０００３】
そこで、古新聞等の収納作業を改善したり整理して収納したりするための古新聞等の回収箱や収納ケースに関する技術が種々開示されている。例えば、古新聞や折込広告等を回収箱の箱内に整理して収納しておき、該古新聞が一定量に達したら紐等で容易に結束できる新聞等の回収箱に関する技術が開示されている（例えば、特許文献１参照）。この技術によれば、ダンボール製の組立式回収箱の複数箇所に引っ掛け溝が形成され、それらの引っ掛け溝に紐を掛けておくことにより、一定量の古新聞等が回収箱の中に収納されたら、該古新聞等を回収箱から取り出すことなく紐で結束することができる。これによって、紐で結束された古新聞等を回収箱から引き抜けば、古新聞等の束を回収箱から分離して廃品回収施設などへ搬送することができる。このとき、古新聞等の束と回収箱とを分離することができるので、回収箱は何度でも使用することができる。
【０００４】
また、取っ手及び底板のついたダンボール製の収納箱に紐が係止されていて、その収納箱の上部開口部から４つ折に畳んだ古新聞を収納しておき、該古新聞が一定量貯まったら紐で結束することにより、収納箱と古新聞とを一括して廃品回収施設などへ持ち運びすることができる古新聞の収納箱に関する技術も開示されている（例えば、特許文献２参照）。この技術によれば、古新聞を積み重ねたときに荷崩れが発生しないので、安定した状態で古新聞の束を保管したり廃品回収施設へ持ち運びしたりすることができる。
【０００５】
さらに、古新聞等を入れる底部を袋状とし、その底部の一辺にプリーツ状のシートを設けたポリエチレンシートを用意し、このポリエチレンシートの四辺の端を外箱と中箱との間に挟むことにより、中箱の上部開口部から４つ折に畳んだ古新聞を整理して収納することができる収納ケースに関する技術も開示されている（例えば、特許文献３参照）。この技術によれば、４つ折に畳んで収納した古新聞が増量するに従って中箱を引き上げて行けば、古新聞を荷崩れすることなく積み上げることができると共に、該古新聞が一定量溜まったらポリエチレンシートの四辺の端で結ぶことにより、ポリエチレンシートで包まれた古新聞を外箱及び中箱から分離して取り出し、廃品回収施設などへ搬送することができる（例えば、特許文献３参照）。
【先行技術文献】
【特許文献】
【０００６】
【特許文献１】特開２００２−１６０７０８号公報
【特許文献２】特開２０００−５２６７８号公報
【特許文献３】特開２００１−１１４２１１号公報
【発明の概要】
【発明が解決しようとする課題】
【０００７】
しかしながら、上記特許文献１の技術は、古新聞を回収箱内に整理して積み上げながら、一定量貯まったら古新聞を取り出すことなく該古新聞を紐で結束した後に、該古新聞を回収箱から引き出して廃品回収施設へ搬送することができるが、古新聞を新聞専用のビニール袋などに包むためには別作業を介在させなければならない。すなわち、廃品回収日の天候が雨天であっても古新聞等は回収されるため、一般的には古新聞をビニール袋やポリ袋に包んで回収されるケースが多い。ところが、特許文献１の技術では、古新聞は紐で結束されただけの状態で廃品回収施設に放置されるので、雨天の場合には古新聞が濡れて重くなったりして取扱い難い状態となる。
【０００８】
また、上記特許文献２の技術は、収納箱の四方の枠がガイドとなって折り畳んだ古新聞を整理して収納することができるが、一定量収納された古新聞は収納箱と共に廃品回収施設へ廃棄処分されるので、収納箱に再利用性がないために該収納箱の費用が無駄になる。さらに、上記特許文献３の技術は、古新聞等をポリエチレンシートで包んで廃品回収施設へ放置することができるので、廃品回収日の天候が雨天であっても古新聞等が濡れるおそれはないが、ポリエチレンシートは外箱と中箱とで挟めるような特殊の形状のものを用意しなければならない。言い換えると、この技術では、一般的に配布されている新聞専用のビニール袋を利用して収納ケースに古新聞を収納することができない。
【０００９】
そこで、一般的に配布されている新聞専用のビニール袋を利用して古新聞等を整理しながら収納することができると共に、該ビニール袋に収納された古新聞等のみを回収箱から取り出して廃品回収施設へ容易に搬送できるような古新聞等の回収箱を実現するために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、ビニール袋などを内部に装着し、古新聞等を積み重ねて前記ビニール袋に収納することができる古新聞等の回収箱であって、前記回収箱は、四面に設けられた折線を介して扁平状に折り畳むことができるように形成された平面視矩形状で上下開放の筒体からなり、且つ、平面視矩形状の該回収箱の上端開口部の短辺側両端部に、前記ビニール袋の手提げ部分を挟んで係止することができる係止溝が対向して形成されていることを特徴とする古新聞等の回収箱を提供する。
【００１１】
この構成によれば、回収箱は、その内部にビニール袋を装着した状態で古新聞等を積み重ねて収納できるように平面視矩形状の容積を有していて、且つ、上下面が開放された筒体になっている。さらに、回収箱は、四面に設けられた折線を介して扁平状に薄く折り畳むことができるようになっている。そして、平面視矩形状の回収箱の上端開口部の短辺側両端部に、ビニール袋の手提げ部分を挟んで係止することができる係止溝が対向して形成されている。
【００１２】
これによって、回収箱の内部に装着されたビニール袋の両側手提げ部分の根元付近を、該回収箱の上端開口部の短辺側両端部にそれぞれ形成された係止溝に挟み込むことにより、該回収箱の内部に装着されたビニール袋の開口部を開放させた状態に保持することができるので、古新聞等を容易且つ整然とビニール袋内に収納することができる。そして、一定量の古新聞がビニール袋に収納された後は、該ビニール袋の手提げ部分の係止を係止溝から外して両側の手提げ部分を結ぶことにより、該ビニール袋の開口部は閉じられた状態となる。この状態で回収箱のみを上方へ引き上げれば、古新聞が収納されたビニール袋のみを取り出して所定の廃品回収施設へ搬送することができる。
【００１３】
しかも、回収箱を保管しておくときには、その回収箱の四面に設けられた折線を介して扁平状に薄く折り畳むことができるので、保管場所のスペースを小さくすることが可能となる。
【００１４】
請求項２記載の発明は、上記短辺側両端部に形成された上記係止溝の内側には、該係止溝に近接して上記ビニール袋の手提げ部分を挟んで係止することができる予備溝が対向して形成されていることを特徴とする請求項１記載の古新聞等の回収箱を提供する。
【００１５】
この構成によれば、回収箱の短辺側両端部に形成された係止溝の内側には、さらに、その係止溝に近接して予備溝が対向して形成されている。これによって、やや小さめのビニール袋の場合には、そのビニール袋の手提げ部分の根元付近を予備溝に挟んで係止することにより、回収箱の内部に装着されたやや小さめのビニール袋は開口部を開いた状態に保持することができる。従って、やや小さめのビニール袋内に古新聞を容易且つ整然と収納することができる。
【００１６】
請求項３記載の発明は、上記回収箱における上端開口部の長辺側中央部に、上記ビニール袋の中央部に設けられた紐状ビニール片を挟んで係止することができる中央部係止溝が対向して形成されていることを特徴とする請求項１又は２記載の古新聞等の回収箱を提供する。
【００１７】
この構成によれば、回収箱における上端開口部の長辺側中央部にも、中央部係止溝が対向して形成されているので、ビニール袋の手提げ部分の根元付近を短辺側両端部に形成された係止溝又は予備溝に挟んで係止するだけではなく、必要に応じて、ビニール袋の中央部に設けられた紐状ビニール片を、上端開口部の長辺側中央部に形成された中央部係止溝に挟んで係止することができる。これによって、ビニール袋の開口部の４端をそれぞれの溝で係止することができるので、回収箱の上端開口部に対してビニール袋の開口部を一層強固に固定することが可能となる。従って、ビニール袋内に古新聞等を容易且つ整然とビニール袋に収納することができる。
【００１８】
尚、回収箱はダンボールで形成されているので、回収箱を低コストで作ることができると共に、不要になった回収箱は古新聞などと一緒に廃品回収施設に持ち出すことができる。
【発明の効果】
【００１９】
請求項１記載の発明は、回収箱における上端開口部の短辺側両端部には係止溝が対向して形成されているので、ビニール袋を回収箱に装着したときに該ビニール袋の手提げ部分の根元付近を係止溝に挟み込んで係止することができる。これによって、回収箱の上端開口部においてビニール袋の開口部を開いた状態に保持することができるので、古新聞を容易且つ整然とビニール袋に収納することができる。また、ビニール袋に一定の高さの古新聞が収納されたときは、ビニール袋の手提げ部分の根元付近を係止溝から外して回収箱を上に引き上げれば、古新聞が収納されたビニール袋を容易に取り出して持ち運ぶことができる。
【００２０】
請求項２記載の発明は、回収箱の短辺側両端部に形成された係止溝の内側には、さらに、その係止溝に近接して予備溝が対向して形成されているので、やや小さめのビニール袋を回収箱に収納した場合には、そのビニール袋の手提げ部分の根元付近を予備溝に挟んで係止することができる。従って、請求項１記載の発明の効果に加えて、回収箱の内部にやや小さめのビニール袋が装着された場合でも、回収箱の上端開口部においてそのビニール袋の開口部を開いた状態に保持することができる。
【００２１】
請求項３記載の発明は、回収箱における上端開口部の長辺側中央部にも中央部溝が形成されているので、必要に応じて、ビニール袋の中央部に設けられた紐状ビニール片を、上端開口部の長辺側中央部に形成された中央部溝に挟んで係止することができる。従って、請求項１又は２記載の発明の効果に加え、ビニール袋の開口部の４端をそれぞれの溝で係止することができるので、回収箱の上端開口部に対してビニール袋の開口部を一層強固に固定することが可能となる。
【図面の簡単な説明】
【００２２】
【図１】本発明の実施例に係る古新聞等の回収箱の平面図。
【図２】本発明の実施例に係る古新聞等の回収箱の正面図。
【図３】本発明の実施例に係る古新聞等の回収箱の側面図。
【図４】回収箱の内部にビニール袋を装着した後に折り畳んだ古新聞を収納する過程を示す工程図。
【図５】回収箱にビニール袋を装着した状態を示す斜視図。
【図６】ビニール袋に一定量の古新聞が収納された後に回収箱を上方へ引き上げる過程を示す側面図。
【図７】回収箱が上方へ引き上げられた後に古新聞の収納されたビニール袋が床上に残された状態を示す側面図。
【図８】回収箱を折り畳んだ状態を示す斜視図。
【発明を実施するための形態】
【００２３】
本発明は、一般的に配布されている新聞専用のビニール袋を利用して古新聞等を整理しながら収納することができると共に、該ビニール袋に収納された古新聞等のみを回収箱から取り出して廃品回収施設へ容易に搬送できるような古新聞等の回収箱を実現するという目的を達成するために、ビニール袋などを内部に装着し、古新聞等を積み重ねて前記ビニール袋に収納することができる古新聞等の回収箱であって、前記回収箱は、四面に設けられた折線を介して扁平状に折り畳むことができるように形成された平面視矩形状で上下開放の筒体からなり、且つ、平面視矩形状の該回収箱の上端開口部の短辺側両端部に、前記ビニール袋の手提げ部分を挟んで係止することができる係止溝が対向して形成されていることを特徴とする古新聞等の回収箱を提供することによって実現した。
【００２４】
以下、本発明の好適な実施例について図１乃至図８を参照して詳細に説明する。
【実施例１】
【００２５】
図１は、本発明の実施例に係る古新聞等の回収箱の平面図である。また、図２は、本発明の実施例に係る古新聞等の回収箱の正面図である。さらに、図３は、本発明の実施例に係る古新聞等の回収箱の側面図である。図１、２、３に示すように、回収箱１は平面視長方形のダンボール等で形成された箱体であって、その上部開口部の寸法は、４つ折に畳んだ新聞紙を平面状に重ねて収納できるように、例えば、長辺側枠体２，２の長さが略２９０ｍｍ、短辺側枠体３，３の長さが略２２０ｍｍ程度の長方形になっている。また、回収箱１の箱体の深さは、折り畳んだ古新聞を所定の高さまで積み重ねられるように、例えば３００ｍｍ程度になっている。
【００２６】
また、図１に示すように、回収箱１における短辺側枠体３，３のそれぞれの両側端部には係止溝４，４が形成されている。この係止溝４，４は、後述するようにビニール袋の手提げ部分の両端をそれぞれ挟み込めるように、例えば幅が２ｍｍで深さが２０ｍｍ程度の切り込みで構成されている。尚、短辺側枠体３，３の両側端部の係止溝４，４よりやや内側（例えば、１０ｍｍ程度内側）に予備溝５，５を設けてもよい。この予備溝５，５も、例えば幅が２ｍｍで深さが２０ｍｍ程度の切り込みで構成されていて、やや小さ目のビニール袋の手提げ部分の両端をそれぞれ挟み込めるようになっている。
【００２７】
また、回収箱１における長辺側枠体２，２のそれぞれの中央部には中央部係止溝６，６が形成されている。この中央部係止溝６，６は、後述するように、ビニール袋の中央部の両側に設けられた紐状ビニール片をそれぞれ挟み込めるように、例えば、幅が２ｍｍで深さが２０ｍｍ程度の切り込みで構成されている。尚、回収箱１の底部は開放状態となっているので、該回収箱１は筒状になっている。
【００２８】
図４は、回収箱の内部にビニール袋を装着した後に折り畳んだ古新聞を収納する過程を示す工程図である。すなわち、図４（ｃ）に示すような回収箱１の内部に、同図（ｂ）に示すような紐状ビニール片１３，１３及び手提げ部分１４，１４を有するビニール袋１２を挿入し、ビニール袋１２の手提げ部分１４，１４の各根元部分を、短辺側枠体３，３の端部に形成された係止溝４，４の奥まで挟み込んで係止する。これによって、ビニール袋１２の開口部は回収箱１の上端開口部付近で開放された状態に固定されるので、同図（ａ）に示すように４つ折に畳んだ古新聞１１をビニール袋１２の内部へ容易に収納することができる。
【００２９】
尚、ビニール袋１２の紐状ビニール片１３，１３を回収箱１の長辺側枠体２，２に形成された中央部係止溝６，６に挟み込んでもよいが、ビニール袋１２の手提げ部分１４，１４の各根元部分を短辺側枠体３，３の係止溝４，４に挟み込んで係止することにより、ビニール袋１２の開口部が充分に開放された状態で保持されれば、ビニール袋１２の紐状ビニール片１３，１３を長辺側枠体２，２の中央部係止溝６，６に挟み込む必要はない。
【００３０】
図５は、回収箱にビニール袋を装着した状態を示す斜視図である。すなわち、図５に示すように、回収箱１の上部開口部からビニール袋１２を挿入し、その手提げ部分１４，１４の根元付近を回収箱１の短辺側枠体３，３の端部に形成された係止溝４，４に挟み込んで係止する。尚、ビニール袋１２がやや小さめのものであれば、その手提げ部分１４，１４の根元付近を、回収箱１の短辺側枠体３，３の係止溝４，４の内側に形成された予備溝５，５に挟み込んで係止する。これによって、小さめのビニール袋１２の開口部は回収箱１の上部開口部の位置で開口された状態となるので、特に、ビニール袋１２の紐状ビニール片１３，１３は長辺側枠体２，２の中央部に形成された中央部係止溝６，６に挟み込まなくてもよい。
【００３１】
このようにして、ビニール袋１２の開口部は回収箱１の上部開口部の位置で開口された状態に維持されるので、４つ折に畳んだ古新聞を容易に回収箱１内に装着されたビニール袋１２に収納することができる。しかも、回収箱１の四方の枠（すなわち、長辺側枠体２，２と短辺側枠体４，４）がガイドとなるので、４つ折に畳んだ古新聞を整然とビニール袋１２の内部に収納することができると共に、収納された古新聞が荷崩れを起こすおそれもなくなる。
【００３２】
図６は、ビニール袋に一定量の古新聞が収納された後に回収箱を上方へ引き上げる過程を示す側面図である。さらに、図７は、回収箱が上方へ引き上げられた後に古新聞の収納されたビニール袋が床上に残された状態を示す側面図である。
【００３３】
すなわち、ビニール袋１２に一定量の古新聞１１が収納された後に、該ビニール袋１２の手提げ部分１４、１４を回収箱１の係止溝４，４から外し、ビニール袋１２の手提げ部分１４，１４を結んでビニール袋１２の開口部を塞ぐ。その後、図６に示すように、回収箱１を上方へ引き上げると、古新聞１１が収納されてビニール袋１２はそのままの位置を保持し、回収箱１のみが引き上げられる。これによって、図７に示すように、古新聞１１が収納されてビニール袋１２の口が手提げ部分１４，１４で結ばれた状態で床上に残され、回収箱１は引き上げられて取り除かれる。
【００３４】
図８は、回収箱１を折り畳んだ状態を示す斜視図である。すなわち、前述の図６，７の過程で取り除かれた回収箱１は、図８に示すように、長辺側枠体２，２と短辺側枠体３，４との繋ぎ目の折線部分で薄く折り畳まれて保管され、次回の使用時に再利用される。言い換えると、回収箱１は折線部分で薄い状態に折り畳まれて保管されるので、回収箱１の保管スペースは場所をとるおそれはない。
【００３５】
以上、本発明に係る古新聞等の回収箱について好適な実施例を説明したが、本発明はこの実施例に限定されるものではなく、本発明は、本発明の精神を逸脱しない限り種々の改変を為すことができ、そして、本発明が該改変されたものに及ぶことは当然である。
【産業上の利用可能性】
【００３６】
本発明に係る古新聞等の回収箱は、一定量の古新聞や古雑誌などを一時的に整理・収納しておき、所定の期日に廃品としてまとめて回収するためのサポートを行うことができるので、古紙などの廃品回収支援装置として有効に利用することができる。
【符号の説明】
【００３７】
１  回収箱
２  長辺側枠体
３  短辺側枠体
４  係止溝
５  予備溝
６  中央部係止溝
１１  古新聞
１２  ビニール袋
１３  紐状ビニール片
１４  手提げ部分
【図１】
2012025442.tif 000003
【図２】
2012025442.tif 000004
【図３】
2012025442.tif 000005
【図４】
2012025442.tif 000006
【図５】
2012025442.tif 000007
【図６】
2012025442.tif 000008
【図７】
2012025442.tif 000009
【図８】
2012025442.tif 000010